(57)【要約】【課題】交換部品の低コスト化と装置構成の簡素化を図ると共に、原稿の分離供給を円滑に行うことができる原稿分離供給装置と、これを用いた画像読取装置を提供する。【解決手段】リタードローラ１３と、リタードローラを同心的に保持するリタードローラ軸１３ａと、リタードローラ軸に同心的に固定された被駆動伝達ギヤ１３ｃとによりリタードローラユニット１３Ａが構成される。装置本体１Ａには、リタードローラに駆動伝達する為の駆動伝達手段１４が設置される。駆動伝達手段１４は、回転駆動軸１５と、駆動伝達ギヤ１８と，リタードローラ軸を軸方向両端部で支持する一対のブラケット部材２０と、リタードローラをセパレートローラ１２に弾性的に接するよう弾力を付与する為の一対の弾力付与手段２５，２６とを備える。リタードローラユニットは、ブラケット部材に対してリタードローラ軸を介しブラケット部材に着脱自在に支持されている。【選択図】図３
2008260612.tif 000002
【特許請求の範囲】
【請求項１】
原稿供給トレイ上に載せられた原稿を、セパレートローラ及び該セパレートローラに弾性的に接するリタードローラの作用によって１枚ずつ分離して供給する原稿分離供給装置であって、
上記リタードローラと、該リタードローラを同心的に保持するリタードローラ軸と、該リタードローラ軸に同心的に固定された被駆動伝達ギヤとによりリタードローラユニットが構成され、
装置本体には、上記リタードローラに駆動伝達する為の駆動伝達手段が設置され、該駆動伝達手段は、回転駆動軸と、上記被駆動伝達ギヤに噛み合って該回転駆動軸からの回転駆動力を伝達する駆動伝達ギヤと、該駆動伝達ギヤの軸心回りに揺動自在に支持され上記リタードローラ軸を軸方向両端部で支持する軸受部を有する一対のブラケット部材と、両ブラケット部材側に設けられ、上記リタードローラをセパレートローラに弾性的に接するよう弾力を付与する為の一対の弾力付与手段とを備え、
上記リタードローラユニットは、上記ブラケット部材に対してリタードローラ軸を介し上記軸受部に着脱自在に支持されていることを特徴とする原稿分離供給装置。
【請求項２】
請求項１に記載の原稿分離供給装置において、
前記一対のブラケット部材には、互いに対向し且つ同心的な一対の支持軸が固定され、一方の支持軸には前記駆動伝達ギヤがその軸心回りに回転自在に支持され、前記回転駆動軸には、一対の揺動アームがその軸心回りに揺動可能に支持されると共に上記駆動伝達ギヤに噛み合う駆動側ギヤが同心的に固定され、該揺動アームはその揺動端部において上記一対の支持軸にその軸心回りに相対回転可能に連結されていることを特徴とする原稿分離供給装置。
【請求項３】
請求項１又は２に記載の原稿分離供給装置において、
前記装置本体には、前記ブラケット部材を支持する為のベースフレームが設置され、該ベースフレームは、ブラケット部材の軸受部を直線移動可能に支持するガイド支持部と、前記弾力付与手段の保持部とを備えていることを特徴とする原稿分離供給装置。
【請求項４】
請求項３に記載の原稿分離供給装置において、
前記直線移動方向が、前記ガイド支持部に支持された軸受部の軸心とセパレートローラの軸心とを結ぶ線に沿うものであることを特徴とする原稿分離供給装置。
【請求項５】
請求項３又は４に記載の原稿分離供給装置において、
前記ブラケット部材は、軸受部材と、該軸受部材の外周にその軸心回りに回転自在に嵌め合わされたブラケットとよりなり、該軸受部材とブラケットの軸受部材に対する嵌め合い部分とにより前記軸受部が構成され、該軸受部材が前記ガイド支持部に直線移動可能に支持されていることを特徴とする原稿分離供給装置。
【請求項６】
請求項１乃至５のいずれかに記載の原稿分離供給装置と、該原稿分離供給装置より分離供給される原稿を搬送する原稿搬送路と、該原稿搬送路の途中に配置された画像読取走査手段と、上記原稿搬送路の下流側端に設けられた原稿排出トレイとを備えたことを特徴とする画像読取装置。
【発明の詳細な説明】
【技術分野】
【０００１】
本発明は、画像読取専用機、複写機、ファクシミリ装置等に設置される画像読取装置に原稿を供給する為の原稿分離供給装置と、この原稿分離供給装置を備えた画像読取装置に関する。
【背景技術】
【０００２】
上記のような画像読取装置は、原稿供給トレイに載せられた多数枚の原稿を１枚ずつ分離供給する為の原稿分離供給装置を備える。この原稿分離供給装置から分離供給された原稿は、原稿搬送路に沿って搬送され、原稿搬送路の途中に配置された原稿読取走査手段によって逐次その画像情報が読取られ、原稿搬送路の下流側端に設けられた原稿排出トレイに排出される。このような画像読取装置に設けられる原稿分離供給装置としては、いわゆるリタードローラ方式や分離パッド方式のものが多く用いられており、前者のリタードローラ方式の原稿分離供給装置の例として、特許文献１及び特許文献２に開示されたものが挙げられる。これらのリタードローラ方式の原稿分離供給装置は、セパレートローラと、これに弾性的に接するリタードローラとよりなり、リタードローラは、セパレートローラによる原稿供給作用に抗するよう回転駆動され、両ローラが接する部分（ニップ部）に重なって送られようとする原稿をリタードローラの回転による押戻し作用によって押戻して、セパレートローラに接する１枚だけを分離供給するものである。
【０００３】
上記のようなリタードローラ方式の原稿分離供給装置の場合、経時的なローラ表面の磨耗等により、原稿の分離供給性が低下することがある為、部品交換をする必要が生じることがある。その為、これらのローラは、簡易な着脱機構を介して原稿分離供給装置の筐体（装置本体）に取付けられるよう構成されている。ところで、リタードローラの場合、駆動伝達系とセパレートローラに弾力を付与するする弾力付与手段の機構とが絡むため、着脱機構の構造が問題となる。特許文献１では、ローラ本体の軸方向両端部を支持する一対の支持部材のうちの一方を軸方向に可動としてローラ本体を着脱可能としている。また、特許文献２に開示の原稿分離供給装置の場合、リタードローラの軸に固定された被駆動伝達ギヤとこれに噛み合う駆動伝達ギヤとの軸間を決めるブラケット（アーム）をリタードローラ軸に取付け、装置本体側に取付けられた駆動伝達ギヤの軸にブラケットを着脱自在に取付可能とすることにより、リタードローラがブラケットと共に着脱可能とされる。
【特許文献１】特開平０９−１８８４３４号公報
【特許文献２】特開２００５−５７３４１号公報
【発明の開示】
【発明が解決しようとする課題】
【０００４】
上記特許文献１に開示されたリタードローラの着脱機構は、リタードローラ本体のみが着脱交換自在とされているから、交換部品がシンプルであり、交換部品の低コスト化が図られる。この場合、一対の支持部材に支持されたリタードローラ本体は、その軸方向に沿った回転駆動用の伝動軸に連結されることになるが、同時にばね部材によってセパレートローラ側（伝動軸に直交する方向）に弾力付与される。その為、伝動軸の両端部（駆動源側とリタードローラ側）にユニバーサルジョイントを２個設け、この伝動軸に直交する方向の弾力を吸収して伝動軸を介した駆動伝達を円滑にするよう構成されており、装置本体側に複雑な駆動伝達機構を設けることを余儀なくされている。また、リタードローラに弾力付与する為のばね部材がリタードローラの軸方向中央部に１個設けられている為、このばね部材により付与される弾力が、連結負荷を伴う駆動伝達側と、この負荷を伴わない反駆動伝達側との間においてアンバランスを生じる。その為、リタードローラとセパレートローラとの接触圧が軸方向で均一とならず、これが原因で上記ニップ部から原稿が斜めに繰出され、その後の搬送過程及び画像読取過程で、原稿搬送ジャムを生じたり、或いは画像読取ミスを生じたりすることがある。
【０００５】
一方、特許文献２に開示された原稿分離供給装置の場合、装置本体側に取付けられた駆動伝達ギヤとリタードローラ軸に固定された被駆動伝達ギヤとの噛み合いによって駆動伝達がなされるよう構成されるから、特許文献１のような２個のユニバーサルジョイントを介した複雑な駆動伝達機構を不要とする。しかし、リタードローラと上記ブラケットとが組み合わされて１部品を構成している為、交換部品としてのコストが嵩むことになる。また、リタードローラに弾力付与する為のばね部材がリタードローラの軸方向中央部に１個設けられている為、上記と同様このばね部材により付与される弾力が、連結負荷を伴う駆動伝達側と、この負荷を伴わない反駆動伝達側との間においてアンバランスを生じ、これが原因で上記ニップ部から原稿が斜めに繰出され、その後の原稿搬送過程等において上記同様の不具合を生じることがある。
【０００６】
本発明は、上記実情に鑑みなされたものであり、交換部品の低コスト化と装置構成の簡素化を図ると共に、原稿の分離供給を円滑に行うことができる原稿分離供給装置と、これを用いた画像読取装置を提供することを目的としている。
【課題を解決するための手段】
【０００７】
第１の発明に係る原稿分離供給装置は、原稿供給トレイ上に載せられた原稿を、セパレートローラ及び該セパレートローラに弾性的に接するリタードローラの作用によって１枚ずつ分離して供給する原稿分離供給装置であって、上記リタードローラと、該リタードローラを同心的に保持するリタードローラ軸と、該リタードローラ軸に同心的に固定された被駆動伝達ギヤとによりリタードローラユニットが構成され、装置本体には、上記リタードローラに駆動伝達する為の駆動伝達手段が設置され、該駆動伝達手段は、回転駆動軸と、上記被駆動伝達ギヤに噛み合って該回転駆動軸からの回転駆動力を伝達する駆動伝達ギヤと、該駆動伝達ギヤの軸心回りに揺動自在に支持され上記リタードローラ軸を軸方向両端部で支持する軸受部を有する一対のブラケット部材と、両ブラケット部材側に設けられ、上記リタードローラをセパレートローラに弾性的に接するよう弾力を付与する為の一対の弾力付与手段とを備え、上記リタードローラユニットは、上記ブラケット部材に対してリタードローラ軸を介し上記軸受部に着脱自在に支持されていることを特徴とする。
【０００８】
本発明の原稿分離供給装置において、前記一対のブラケット部材には、互いに対向し且つ同心的な一対の支持軸を固定し、一方の支持軸には前記駆動伝達ギヤをその軸心回りに回転自在に支持し、前記回転駆動軸には、一対の揺動アームをその軸心回りに揺動可能に支持すると共に上記駆動伝達ギヤに噛み合う駆動側ギヤを同心的に固定し、該揺動アームをその揺動端部において上記一対の支持軸にその軸心回りに相対回転可能に連結することにより、回転駆動軸から駆動伝達ギヤを介した被駆動伝達ギヤまでの駆動伝達系及びこれらの支持機構を構成ようにしても良い。
【０００９】
また、前記装置本体に、前記ブラケット部材を支持する為のベースフレームを設置し、該ベースフレームは、ブラケット部材の軸受部を直線移動可能に支持するガイド支持部と、前記弾力付与手段の保持部とを備えているものとしても良い。この場合、上記直線移動方向が、前記ガイド支持部に支持された軸受部の軸心とセパレートローラの軸心とを結ぶ線に沿うものとすることが望ましい。更に、前記ブラケット部材を、軸受部材と、該軸受部材の外周にその軸心回りに回転自在に嵌め合わされたブラケットとよりなるものとし、該軸受部材とブラケットの軸受部材に対する嵌め合い部分とにより前記軸受部を構成し、該軸受部材が上記ガイド支持部に直線移動可能に支持されているものとすることができる。
【００１０】
第２の発明に係る画像読取装置は、上記のいずれかの原稿分離供給装置と、該原稿分離供給装置より分離供給される原稿を搬送する原稿搬送路と、該原稿搬送路の途中に配置された画像読取走査手段と、上記原稿搬送路の下流側端に設けられた原稿排出トレイとを備えたことを特徴とする。
【発明の効果】
【００１１】
第１の発明に係る原稿分離供給装置によれば、リタードローラと、該リタードローラを同心一体に保持するリタードローラ軸と、該リタードローラ軸に同心的に固定された被駆動伝達ギヤとより構成されるリタードローラユニットが、装置本体に対し、装置本体側に設けられるブラケット部材の軸受部に着脱自在に支持されるものであるから、交換部品としてのリタードローラユニットの部品コストを低くすることができ、ユーザーの負担を軽減化できる。また、本体装置側の回転駆動軸の回転駆動力を伝達する駆動伝達ギヤにリタードローラ軸に固定された被駆動伝達ギヤを噛み合わせることによってリタードローラへの回転駆動伝達機構が構成されるから、装置構成の簡素化が図られる。更に、一対のブラケット部材に支持されるリタードローラをセパレートローラに弾性的に接するよう弾力を付与する為の弾力付与手段が、両ブラケット側に一対設けられているから、駆動伝達ギヤと被駆動伝達ギヤとが噛み合うことによる駆動伝達側の連結負荷は、リタードローラ軸の両端部に付与される弾力によって緩和され、リタードローラとセパレートローラとの接触圧が軸方向でアンバランスになることがなく、原稿の円滑な分離供給がなされる。
【００１２】
前記のように、回転駆動軸に揺動自在に支持された一対の揺動アームとブラケット部材との一対の支持軸を介した転結関係、回転駆動軸に固定された駆動側ギヤと駆動伝達ギヤ及び駆動伝達ギヤと被駆動伝達ギヤとのそれぞれの噛み合い関係によって、回転駆動軸から駆動伝達ギヤを介した被駆動伝達ギヤまでの駆動伝達系及びこれらの支持機構を構成するようにすれば、一連の駆動伝達系において、揺動アームの回転駆動軸回りの揺動、ブラケット部材の揺動アームに対する支持軸回りの相対回転とが相関して、各ギヤの軸間距離が一定に保たれた状態で駆動伝達がなされ、且つ弾力付与手段によるリタードローラのセパレートローラに対する弾性的接触の維持が無理なくなされる。従って、ユニバーサルジョイントのような連結手段を介在させる必要がなく、装置構成がより簡素化される。
【００１３】
また、前記装置本体に、前記ブラケット部材を支持する為のベースフレームを設置し、該ベースフレームは、ブラケット部材の軸受部を直線移動可能に支持するガイド支持部と、前記弾力付与手段の保持部とを備えているものとした場合、ブラケット部材の軸受部には弾力付与手段により上記直線移動方向に沿って弾力が付与され、これによりリタードローラはセパレートローラに対して常に一定した方向より弾性的に接することになる。この場合、上記直線移動方向が、前記ガイド支持部に支持された軸受部の軸心とセパレートローラの軸心とを結ぶ線に沿うものとすれば、上記弾力付与手段による弾力がリタードローラとセパレートローラとのニップ部を経てセパレートローラの軸心に向かうことになり、このニップ部におけるセパレートローラとリタードローラとの協働作用による原稿の分離供給機能が極めて好適に発揮される。
【００１４】
更に、前記ブラケット部材を、軸受部材と、該軸受部材の外周にその軸心回りに回転自在に嵌め合わされたブラケットとよりなるものとし、該軸受部材とブラケットの軸受部材に対する嵌め合い部分とにより前記軸受部を構成し、該軸受部材が上記ガイド支持部に直線移動可能に支持されているものとすれば、前記揺動アームと、これに取付けられた駆動伝達ギヤの軸心回りに揺動自在に支持されたブラケット部材との連結関係において、弾力付与手段の弾力の付与による軸受部材の上記ガイド支持部に直線移動が、ブラケットの上記軸受部材の軸心回りの回転によって円滑になされ、且つリタードローラ軸の軸心と被駆動伝達ギヤの軸心間の距離も一定に保たれ、リタードローラに対する駆動伝達が支障なく円滑になされる。
【００１５】
第２の発明に係る画像読取装置においては、上記原稿分離供給装置から供給された原稿が、原稿搬送路に沿って斜行することなく円滑に搬送され、斜行が原因で原稿ジャムを起こすことなく、画像読取走査手段によって逐次その画像情報が読取られ、原稿排出トレイに順次排出される。画像読取走査手段には原稿が斜めになることなく導入されるから、読取画像が歪むような読取不具合を生じることもない。
【発明を実施するための最良の形態】
【００１６】
以下に本発明の最良の実施の形態について、図面に基づいて説明する。図１は本発明の一実施形態に係る画像読取装置の概略的縦断面図、図２は同画像読取装置に備えられた原稿分離供給装置の一実施形態を示す拡大断面図、図３は同原稿分離供給装置の要部の斜視図、図４は図３におけるＸ−Ｘ線矢視断面図、図５は図４におけるＹ−Ｙ線矢視断面図、図６は図４におけるＺ−Ｚ線矢視断面図、図７は同原稿分離供給装置に採用されるブラケット部材の取付構造を示す分解斜視図である。
【００１７】
図１に示すように、本実施形態の画像読取装置１は、近年の大量文書の電子化ニーズの高まりに対応するものであり、シート原稿Ｓをセットする為の大容量の原稿供給トレイ２を装置本体１Ａの下部に備え、読取後の原稿Ｓを排出堆積させる原稿排出トレイ３を装置本体１Ａの上部に備える。また、この画像読取装置１は、上記原稿供給トレイ２の原稿Ｓを装置本体１Ａの内部に供給する為の原稿供給口１ａと、装置本体１Ａの内部で読取られた後の原稿Ｓを上記原稿排出トレイ３に排出する為の原稿排出口１ｂとを備える。
【００１８】
上記画像読取装置１の装置本体１Ａの内部には、原稿供給口１ａと原稿排出口１ｂとを繋ぐ倒Ｕ形の湾曲した原稿搬送路Ｐが形成され、この原稿搬送路Ｐに沿って複数の搬送ローラ対４…が設置されている。また、原稿搬送路Ｐの途中には２個のイメージスキャナ装置（画像読取走査手段）５，６が、原稿Ｓの表裏に対応するよう配置され、原稿搬送路Ｐを搬送される原稿Ｓの両面の画像情報が逐次読取られるよう構成されている。この場合、イメージスキャナ装置５，６をいずれか一方のみとし、片面読取の画像読取装置を構成するようにしても良い。また、いずれかのイメージスキャナ装置をフラットベットタイプのイメージスキャナと併用するよう構成してもよい。
【００１９】
上記原稿トレイ２は、昇降機構７を構成するラック７ａによって支持され、ラック７ａと共に昇降機構７を構成するピニオン７ｂの正逆回転によって、ピニオン７ｂに噛み合うラック７ａが昇降し、これによって原稿トレイ２が上下昇降する。この昇降機構７は、原稿トレイ２の上に堆積セットされた多数枚の原稿Ｓが、後記する原稿分離供給装置１０によって最上層原稿より装置本体１Ａ内に供給される結果、堆積量が減少するのに伴い原稿トレイ２を上昇させ、常に最上層の原稿Ｓが、原稿分離供給装置１０の分離供給作用を受けるよう構成されている。ラック７ａの下方部に設置されたギヤ７ｃは、抵抗ギヤであって、例えば、トルクグリスがギヤ軸に塗布されており、回転に対する抵抗が発生するようになされ、ラック７ａの降下の際に噛み合い、その衝撃を緩和する。原稿トレイ２を昇降させる昇降機構７としては、図例のようなラックアンドピニオン機構に限定されず、例えば、ベルト又はプーリーを用いて昇降させるものであっても良い。
【００２０】
上記原稿トレイ２は、原稿Ｓの幅端を揃えて供給の際の斜行を防止する為のサイドガイド２ａと、原稿トレイ２の上の原稿Ｓの有無を検出する原稿検知センサ２ｂとを備え、この原稿検知センサ２ｂは制御部８に電気的に接続されている。制御部８は、昇降機構７の作動制御、後記する原稿分離供給装置１０の各部の作動制御、原稿搬送路Ｐの各搬送ローラ対４…の作動制御及びイメージスキャナ５，６の走査制御等を行う。原稿排出トレイ３は、排出されてくる多数枚の原稿Ｓを揃えて収容し得る大容量の上面開口箱型形状とされている。また、画像読取装置１の装置本体１Ａ上部には、画像読取開始信号等を入力する為の操作パネル９が設けられている。
【００２１】
前記原稿供給口１ａの近傍には、原稿分離供給装置１０が設置されており、以下、この原稿分離供給装置１０について詳述する。本原稿分離供給装置１０は、図２に示すように、ピックアップローラ１１と、その下流側のセパレートローラ１２と、このセパレートローラ１２の下面に弾性的に接するリタードローラ１３とを基本構成要素とする。前記昇降機構７によって原稿供給トレイ２が押上げられると、該原稿供給トレイ２上に多数枚が積層状態でセットされた原稿Ｓの最上層原稿Ｓの前端部が、ピックアップローラ１１の下面に押付けられる。この状態でピックアップローラ１１が矢印ａ方向に回転すると、ピックアップローラ１１の回転摩擦作用によって最上層原稿Ｓが繰出され、その前端部がセパレートローラ１２とリタードローラ１３とが弾性的に接触するニップ部に導入される。
【００２２】
セパレートローラ１２及びリタードローラ１３は共にゴム等の摩擦性の部材から構成され、セパレートローラ１２の表面と原稿（紙）Ｓとの摩擦係数μ１≧リタードローラ１３の表面と原稿（紙）Ｓとの摩擦係数μ２＞原稿（紙）Ｓ同士の摩擦係数μ３、となるようにその材質の選定がなされる。セパレートローラ１２は矢印ｂ方向（ａ方向と同方向）に回転するよう駆動伝達され、また、リタードローラ１３には、セパレートローラ１２の回転に対してカウンター回転となる矢印ｃ方向に回転力が作用するようその駆動伝達系が構成されている。そして、リタードローラ１３とそのリタードローラ軸１３ａとの間にトルクリッミッタ１３ｂ（図３、図４参照）が介在され、リタードローラ１３に矢印ｃ方向とは反対の方向ｅに所定の力以上の負荷が加わった時は、回転が停止又は同方向ｅにつれ回りするよう構成されている。
【００２３】
上記のように、ピックアップローラ１１によって繰出された原稿Ｓは、その前端部よりセパレートローラ１２とリタードローラ１３とが弾性的に接触するニップ部に導入されるが、この導入前ではセパレートローラ１２とリタードローラ１３とが直接摩擦状態で接しているから、上記摩擦係数の関係とトルクリッミタ１３ｂの作用とにより、リタードローラ１３は矢印ｅ方向に回転する。また、原稿Ｓが１枚だけ導入される場合にも、上記摩擦係数の関係とトルクリッミタ１３ｂの作用とにより、リタードローラ１３は矢印ｅ方向に回転又は停止状態となる。しかし、繰出された原稿Ｓが複数枚重なった状態で導入されると、原稿Ｓ同士の摩擦係数μ３が小さいから、上記矢印ｅ方向に作用する負荷が小さく、これによりトルクリッミタ１３ｂを介してリタードローラ軸１３ａから駆動伝達されてリタードローラ１３が矢印ｃ方向に回転する。このリタードローラ１３の矢印ｃ方向への回転に伴う摩擦作用により、下側の原稿Ｓが押し戻され、重なった状態で導入されようとする原稿Ｓの内の上側の原稿Ｓのみが分離され、原稿搬送路Ｐに向け分離供給される。原稿供給口１ａ及び原稿排出口１ｂにかけての原稿搬送路Ｐには、原稿Ｓの繰出・供給及び搬送を円滑に行わせる為のガイド板１ｃ，１ｄが適宜設けられている。ガイド板１ｃは、装置本体１Ａに対して開閉可能に取付けられ、ピックアップローラ１１及びセパレートローラ１２を支持するメンテナンスカバー体（不図示）の一部を構成する。
【００２４】
上記リタードローラ１３と、該リタードローラ１３をトルクリッミタ１３ｂを介して同心的に保持するリタードローラ軸１３ａと、該リタードローラ軸１３ａに同心的に固定された被駆動伝達ギヤ１３ｃとによりリタードローラユニット１３Ａが構成される。この場合、トルクリッミタ１３ｂは、必ずしもリタードローラ１３とリタードローラ軸１３ａとの間に設ける必要がなく、被駆動伝達ギヤ１３ｃとリタードローラ軸１３ａとの間、或いは後記する駆動伝達系の任意の箇所に設けることも可能である。
【００２５】
前記装置本体１Ａには、上記リタードローラ１３に駆動伝達する為の駆動伝達手段１４が設置されている。この駆動伝達手段１４は、装置本体１Ａ上に回転自在に設置されて不図示の回転駆動源に連結される回転駆動軸１５と、該回転駆動軸１５に同心的に固定された駆動側ギヤ１６と、回転駆動軸１５にその軸心回りに揺動可能に支持された一対の揺動アーム１７，１７と、上記駆動側ギヤ１６に噛み合う駆動伝達ギヤ１８と、互いに対向し上記揺動アーム１７，１７がその揺動端部において軸心回りに相対回転可能に連結される同心的な一対の支持軸１９，１９を有する一対のブラケット部材２０，２０とよりなる。回転駆動軸１５は、リタードローラ軸１３ａに平行な状態で設置される。また、上記駆動伝達ギヤ１８は支持軸１９，１９の一方にその軸心回りに回転自在に支持されている。更に、上記一対の揺動アーム１７，１７は、回転駆動軸１５に平行な連結板１７ａによって互いに平行関係で連結一体とされている。
【００２６】
上記ブラケット部材２０は、軸受部材２１，２２と、該軸受部材２１，２２の外周にその軸心回りに回転自在に嵌め合わされたブラケット２３，２３とよりなり、装置本体１Ａ上に設置されたベースフレーム２４に支持される。ベースフレーム２４は、装置本体１Ａ上にビス２４ａａ等で固定される方形のベース板２４ａと、このベース板２４ａの両端に形成された垂直フレーム２４ｂ，２４ｃとよりなる。垂直フレーム２４ｂ，２４ｃは、上記軸受部材２１，２２の組込用を兼ねる圧縮ばね（弾力付与手段）の取付空間２４ｂａ，２４ｃａと、軸受部材２１，２２を直線移動可能に支持する為の垂直切欠溝（ガイド支持部）２４ｂｂ，２４ｃｂと、上記取付空間２４ｂａ，２４ｃａの下辺に形成された圧縮ばね保持用の円柱状保持部２４ｂｃ，２４ｃｃとを備えている。垂直切欠溝２４ｂｂ，２４ｃｂは、取付空間２４ｂａ，２４ｃａに続き形成されている。
【００２７】
上記ブラケット２３，２３は、回転駆動軸１５に平行な連結板２３ａによって互いに平行関係で連結一体とされ、その各先端部には軸受部材２１，２２との嵌め合い用円孔２３ｂ，２３ｂが形成されている。この嵌め合い用円孔２３ｂ，２３ｂの上部は切欠かれて切欠開放部２３ｂａ，２３ｂａとされており、この開放部２３ｂａ，２３ｂａの開放幅ｄは、円孔２３ｂ，２３ｂの径Ｄより小とされている。
【００２８】
上記軸受部材２１，２２は、リタードローラ軸１３ａを支持する軸孔２１ａ，２２ａと、両側部に凹溝２１ｂ，２２ｂと、下面に圧縮ばね保持用の円柱状保持部２１ｃ，２２ｃと、軸孔２１ａ，２２ａと同心のブラケット支持用円形突起２１ｄ，２２ｄとを備えた成型体からなる。軸孔２１ａ，２２ａは、リタードローラ軸１３ａを回転自在に支持するものであり、その径はリタードローラ軸１３ａの径と同じとされている。反駆動側となる軸受部材２１の軸孔２１ａは、上側部分がその径と同幅で開放されてＵ形状とされ、この開放部２１ａａを介しリタードローラ軸１３ａの反駆動側部分が上から軸孔２１ａに支持されるようになされている。一方、駆動側となる軸受部材２１の軸孔２２ａは、リタードローラ軸１３ａを軸方向より挿入し得る円形とされ、その入口部は徐々に径が小さくなるテーパ面２２ａａとされている。
【００２９】
上記軸受部材２１，２２における凹溝２１ｂ，２２ｂの溝幅は、上記垂直フレーム２４ｂ，２４ｃの板厚よりやや大とされ、上記垂直切欠溝２４ｂｂ，２４ｃｂの内側辺部が嵌り込んで相対移動が可能なように構成されている。ブラケット支持用突起２１ｄ，２２ｄは、円形の上下を平行にカットしたカット部２１ｄａ，２２ｄａを備えた形状であり、その外径Ｄ１は、上記ブラッケット２３，２３における円孔２３ｂ，２３ｂの径Ｄと略同じかやや小とされ、また、各カット部２１ｄａ，２２ｄａ間の幅ｄ１は、該円孔２３ｂ，２３ｂにおける上側開放部２３ｂａ，２３ｂａの開放幅ｄよりやや小とされている。
【００３０】
上記のような構成のブラケット部材２０をベースフレーム２４に組付ける要領について説明する。先ず、軸受部材２１，２２を垂直フレーム２４ｂ，２４ｃにおける取付空間２４ｂａ，２４ｃａ内に配置し、これらを上方に持ち上げながら、凹溝２１ｂ，２２ｂに垂直切欠溝２４ｂｂ，２４ｃｂの内側辺部を嵌め込み、この垂直切欠溝２４ｂｂ，２４ｃｂに支持させた状態で、軸受部材２１，２２の円柱状保持部２１ｃ，２２ｃと垂直フレーム２４ｂ，２４ｃの円柱状保持部２４ｂｃ，２４ｃｃとの間に圧縮ばね（弾力付与手段）２５，２６を圧縮状態で介在保持させる。この状態では、軸受部材２１，２２は、垂直切欠溝２４ｂｂ，２４ｃｂに沿って圧縮ばね２５，２６による上向きの復元弾力を受け、直線移動可能な状態で維持される。この直線移動方向は、軸受部材２１，２２の軸孔２１ａ，２２ａに支持されるリタードローラ軸１３ａの軸心とセパレートローラ１２の軸心とを結ぶ線に沿うものである。
【００３１】
次いで、ブラケット２３，２３を開放部２３ｂａ，２３ｂａが横向きになるようにして、該開放部２３ｂａ，２３ｂａを軸受部材２１，２２における突起２１ｄ，２２ｄのカット部２１ｄａ，２２ｄａに沿わせながらブラケット２３の円孔２３ｂ，２３ｂを突起２１ｄ，２２ｄの外周に嵌め合わせる。その後、ブラケット２３，２３を円孔２３ｂ，２３ｂの軸心まわりに９０°回転させて保持させ、これによりブラケット２３，２３が軸受部材２１，２２の突起２１ｄ，２２ｄに対してその軸心回りに回転可能に支持される。また、軸受部材２１，２２とブラケット２３，２３の軸受部材２１，２２に対する嵌め合い部分とによりブラケット部材２０，２０の軸受部２０Ａ，２０Ａが構成される。このブラケット部材２０の組付けの際、前記支持軸１９，１９には、回転駆動軸１５に揺動可能に支持された揺動アーム１７，１７が、その揺動端部において相対回転可能に取付けられ、同時に駆動側ギヤ１６と駆動伝達ギヤ１８とが噛み合い関係に維持される。これによって、回転駆動軸１５から駆動伝達ギヤ１８までの駆動伝達系、及びリタードローラ１３に駆動伝達する為の駆動伝達手段１４が確立する。
【００３２】
上記のように構成された駆動伝達手段１４に対して、リタードローラユニット１３Ａを取付支持させる場合、リタードローラ軸１３ａを傾け、その駆動側先端部を、軸受部材２２のテーパ面２２ａａに沿わせて軸孔２２ａに対して斜め上方より挿入しながら水平状態とし、リタードローラ軸１３ａの反駆動側端部を軸受部材２１の軸孔２１ａに支持させる。リタードローラ軸１３ａの両端部側には、ブラケット２３，２３に近接する止めリング１３ａａ，１３ａａが取付けられており、これによりリタードローラユニット１３Ａが軸方向に沿った移動が規制された状態で支持される。また、この支持状態で被駆動伝達ギヤ１３ｃがブラケット２３に取付けられた駆動伝達ギヤ１８と噛み合い、被駆動伝達ギヤ１３ｃまでの駆動伝達系が確立する。
【００３３】
リタードローラユニット１３Ａを上記のように駆動伝達手段１４の所定位置に支持させた状態で、前記メンテナンスカバー体（不図示）を閉めロックさせると、図２に示すように、セパレートローラ１２とリタードローラ１３とが、圧縮ばね２５，２６の弾力に抗して弾性的に接した状態とされ、これにより原稿分離供給装置１０が構成される。圧縮ばね２５，２６は、軸受部材２１，２２のそれぞれに直接弾力が作用するよう構成されているから、リタードローラ１３に対し、その長手方向両端部において個別に弾力が作用することになる。従って、両圧縮ばね２５，２６のばね定数の適宜設定や、ばね圧調整手段を個々に設けることにより、リタードローラ１３のセパレートローラ１２に対する弾性接触圧をその長手方向においてバランスさせることが容易になされる。特に、反駆動側の軸受部材２１と駆動側の軸受部材２２においては、駆動伝達系の連結負荷の有無が影響する為、これらに直接圧縮ばね２５，２６の弾力を付与することにより、上記リタードローラ１３のセパレートローラ１２に対する長手方向における弾性接触圧のバランス調整が的確になされる。
【００３４】
また、軸受部材２１，２２がガイド支持部としての垂直切欠溝２４ｂｂ，２４ｃｂにガイド支持されているから、圧縮ばね２５，２６による弾力は、垂直切欠溝２４ｂｂ，２４ｃｂに沿って直線的に付与され、リタードローラ１３には常にその軸心がセパレートローラ１２の軸心に向くよう弾力が付与される。この場合、軸受部材２１，２２とブラケット２３，２３とは、前記軸受部２０Ａ、２０Ａにおける相互の嵌め合い関係によってその軸心回りに相対回転可能とされ、また、回転駆動軸１５に揺動可能に取付けられた揺動アーム１７，１７が支持軸１９，１９を介してブラケット２３，２３に軸心回りに相対回転可能に連結されているから、被駆動伝達ギヤ１３ｃと駆動伝達ギヤ１８との軸心間距離及び駆動伝達ギヤ１８と駆動側ギヤ１６との軸心間距離が常に一定に保たれた状態で、軸受部材２１，２２の垂直切欠溝２４ｂｂ，２４ｃｂに沿った直線的な垂直移動が円滑になされ、駆動伝達に支障を来たすこともない。
【００３５】
そして、装置本体１Ａ側に設置される駆動伝達手段１４は、上述のように簡易な組付け関係で構成されるから、組付けの作業性に優れる。また、リタードローラユニット１３Ａは、上述のように駆動伝達手段１４に対して簡易に着脱できるから部品交換の煩わしさが少なく、また、構成部品も少ないから交換部品としてのコストダウンも図ることができ、ユーザーに対する負担を軽減することができる。
【００３６】
尚、図１に示すような画像読取装置１において、原稿分離供給装置１０及び各搬送ローラ対４…は、駆動源（モータ）を１個とし、それぞれの駆動は電磁クラッチの制御によって行なわれることが多い。この場合、原稿分離供給装置１０によって繰出し供給される原稿が、下流側直近の搬送ローラ対４にニップされた際、原稿分離供給装置１０関連の電磁クラッチをオフとし、セパレートローラ１２及びリタードローラ１３の駆動を停止する制御がなされる。この時、搬送ローラ対４…は駆動して原稿の搬送を継続しているから、停止中のセパレートローラ１２及びリタードローラ１３は原稿に引っ張られてつれ回りし、これによって次原稿が、原稿間の摩擦によって引き込まれ、分離されずに重なった状態で送られることになる。このような事態を生じさせない為、リタードローラ１３の駆動伝達系にワンウェイクラッチ（不図示）を介在させ、駆動源からの逆転方向の駆動力（リタードローラに付与される本来の回転駆動力）は伝達するが、正転させる方向（つれ回り方向）の回転をロックするよう構成することもできる。
【００３７】
また、上記のような原稿分離供給装置の場合、原稿が下流側直近の搬送ローラ対４にニップされた際には、ピックアップローラ１１の駆動も停止するよう制御されるが、短い原稿の場合、上記搬送ローラ対４に達する前に原稿の後端がピックアップローラ１１を抜けることがある為、回転を継続しているピックアップローラ１１の作用を受けて次原稿の繰出しが開始され、これが原稿ジャムの原因となることがある。このような事態を生じさせない為、原稿がセパレートローラ１２によって供給が開始された時点でピックアップローラ１１を堆積原稿の上面から離す為の手段（不図示）を組み込んでも良い。
【００３８】
上記実施形態では、読取専用の画像読取装置を例示したが、ファクシミリ装置や複写機の読取装置にも本発明を適用することができ、図１に示す装置本体の構成もこれに限定されるものではない。画像読取走査手段としては、光源と、ミーラー及びレンズ等の光学系と、ＣＣＤ等の撮像手段とが組み合った公知のイメージスキャナ装置が用いられる。
【図面の簡単な説明】
【００３９】
【図１】本発明の一実施形態に係る画像読取装置の概略的縦断面図である。
【図２】同画像読取装置に備えられた原稿分離供給装置の一実施形態を示す拡大断面図である。
【図３】同原稿分離供給装置の要部の斜視図である。
【図４】図３におけるＸ−Ｘ線矢視断面図である。
【図５】図４におけるＹ−Ｙ線矢視断面図である。
【図６】図４におけるＺ−Ｚ線矢視断面図である。
【図７】同原稿分離供給装置に採用されるブラケット部材の取付構造を示す分解斜視図である。
【符号の説明】
【００４０】
１      画像読取装置
１Ａ    装置本体
２      原稿供給トレイ
３      原稿排出トレイ
５      イメージスキャナ装置（画像読取走査手段）
６      イメージスキャナ装置（画像読取走査手段）
１０    原稿分離供給装置
１２    セパレートローラ
１３    リタードローラ
１３Ａ  リタードローラユニット
１３ａ  リタードローラ軸
１３ｃ  被駆動伝達ギヤ
１４    駆動伝達手段
１５    回転駆動軸
１６    駆動側ギヤ
１７    揺動アーム
１８    駆動伝達ギヤ
１９    支持軸
２０    ブラケット部材
２０Ａ  軸受部
２１，２２    軸受部材
２３    ブラケット
２４    ベースフレーム
２４ｂｂ，２４ｃｂ    ガイド支持部
２４ｂｃ，２４ｃｃ    弾力付与手段の保持部
２５，２６    圧縮ばね（弾力付与手段）
Ｐ      原稿搬送路
Ｓ      原稿
【図１】
2008260612.tif 000003
【図２】
2008260612.tif 000004
【図３】
2008260612.tif 000005
【図４】
2008260612.tif 000006
【図５】
2008260612.tif 000007
【図６】
2008260612.tif 000008
【図７】
2008260612.tif 000009